(57)【特許請求の範囲】
【請求項１】
カードと接続する導電性のコンタクトと、該コンタクトを保持したインシュレータと、前記インシュレータの一面へ搭載する前記カードを該一面上に保持するよう前記インシュレータに回動可能に軸結合されているカバーとを含み、前記コンタクトは、前記一面に前記カードが搭載されたときに前記カードに接触するよう前記一面上に突出している接触部を有し、前記カバーは、前記一面上へ閉じる閉止方向及び前記一面から離れる開放方向へ回動可能であって、前記カードを前記一面に搭載した後に、前記カード上へ前記カバーを回動して前記カードを保持しかつ前記カードを押圧して前記コンタクトに接続するカード接続用コネクタにおいて、
前記インシュレータは、前記カードの一端部を前記一面に保持するよう前記一面上の一側部分に設けた保持部と、前記カードを前記一面へ搭載した状態で前記カードの前記一端部とは反対側の他端部が位置する部分の近傍に設けた第１の軸部とを有し、
前記インシュレータには、前記保持部が一体成形されており、
前記カバーは、前記第１の軸部に回動可能に係合する第２の軸部と、前記カードを前記一面へ搭載した状態において前記閉止方向の途中で前記カードの前記他端部を前記保持部側へ押圧しかつ前記閉止方向の途中及び前記カバーを閉じたときに前記カードを前記一面へ押圧して保持する押圧手段と、前記カバーを閉じた状態に維持するための係合部とを有していることを特徴とするカード接続用コネクタ。
【請求項２】
請求項１に記載のカード接続用コネクタにおいて、前記保持部は、前記カードの前記一端部を挿抜可能に嵌め込み保持するよう形成した凹部を有していることを特徴とするカード接続用コネクタ。
【請求項３】
請求項１又は２に記載のカード接続用コネクタにおいて、前記第１及び第２の軸部は、前記カードが前記一面に搭載された状態で前記カードの前記一端部から前記他端部への方向で前記カードの前記他端部の端面よりも外側に位置しており、
前記カバーは、前記カードを前記一面へ搭載した状態で前記カード上に位置させるカバー主板部を有し、
前記押圧手段は、前記閉止方向で前記カバーを閉じる途中において前記カードの前記他端部を前記保持部側へ押圧する前記カバー主板部と、前記閉止方向で前記カバーを閉じる途中及び前記カバーを閉じたときに前記カードを前記インシュレータの前記一面へ向けて押付けて付勢するよう前記カバー主板部に形成したバネ部とからなることを特徴とするカード接続用コネクタ。
【請求項４】
請求項３に記載のカード接続用コネクタにおいて、前記カバー主板部には、前記保持部に接近する前記カバーの一端側の近傍に前記係合部が形成されており、
前記インシュレータの側面には突部が形成されており、前記係合部には、前記突部に入り込んで係合する係合穴が形成されていることを特徴とするカード接続用コネクタ。
【請求項５】
請求項１又は２に記載のカード接続用コネクタにおいて、前記第１及び第２の軸部は、前記カードが前記一面に搭載された状態で前記カードの前記一端部から前記他端部への方向で前記カードの前記他端部の端面よりも内側に位置しており、
前記カバーは、前記カードを前記一面へ搭載した状態で前記カード上に位置させるカバー主板部を有し、
前記押圧手段は、前記閉止方向で前記カバーを閉じる途中において前記カードの前記他端部を前記保持部側へ押圧し、かつ前記閉止方向で前記カバーを閉じる途中及び前記カバーを閉じたときに前記カードを前記インシュレータの前記一面へ向けて押付けて付勢するよう前記カバー主板部に形成したバネ部を有していることを特徴とするカード接続用コネクタ。
【請求項６】
請求項１又は２に記載のカード接続用コネクタにおいて、前記第１及び第２の軸部は、前記カードが前記一面に搭載された状態で前記カードの前記一端部から前記他端部への方向で前記他端部の端面と同一な位置に位置しており、
前記カバーは、前記カードを前記一面へ搭載した状態で前記カード上に位置させるカバー主板部を有し、
前記押圧手段は、前記閉止方向で前記カバーを閉じる途中において前記カードの前記他端部を前記保持部側へ押圧し、かつ前記閉止方向で前記カバーを閉じる途中及び前記カバーを閉じたときに前記カードを前記インシュレータの前記一面へ向けて押付けて付勢するよう前記カバー主板部に形成したバネ部を有していることを特徴とするカード接続用コネクタ。
【発明の詳細な説明】
【０００１】
【発明の属する技術分野】
本発明は、カードとコンタクトとを接続するカード接続用コネクタに属する。
【０００２】
【従来の技術】
先行技術におけるカード接続用コネクタは、図９及び図１０に示すように、導電性のコンタクト３１１と、コンタクト３１１の複数が保持されているインシュレータ３２１と、インシュレータ３２１の一面３２１ａへ搭載するカード３４１をインシュレータ３２１の一面３２１ａへ押圧してコンタクト３１１に接続させるカバー３３１とを備えている。
【０００３】
なお、カード３４１としては、例えば、電話加入者のような加入者の同一性を識別するモジュールである小形のＳＩＭ（Subscriber Identity Module）がある。
【０００４】
コンタクト３１１は、インシュレータ３２１の一面上に突出している接触部３１３を有している。インシュレータ３２１の一面３２１ａにカード３４１が搭載されたときには、インシュレータ３２１の一面３２１ａに対向するカード３４１面に設けられているカード接触部（図示せず）によって接触部３１３が押圧されて、インシュレータ３２１の一面３２１ａの方向へ少し下げられ、接触部３１３の反力によって接触を保つ。
【０００５】
インシュレータ３２１は、カバー３３１をインシュレータ３２１の一面３２１ａへ押圧して閉じる閉止方向Ｉ及び一面３２１ａから離れる開放方向ＩＩへ回動可能になす軸部３２５を有している。軸部３２５は、インシュレータ３２１の一面３２1ａを直交する一対の側面３２１ｃ上へ延びている。
【０００６】
カバー３３１は、カバー３３１をインシュレータ３２１の一面３２１ａへ押圧する板部３３３と、一対の側面３２１ｃにそれぞれ対向している一対の軸受部３３５とを有している。軸受部３３５は、板部３３３に対して直角に折り曲げられている。一対の軸受部３３５には、カード３４１上へカバー３３１を回動してカード３４１を押圧しカード３４１とコンタクト３１１とを接続するように、軸部３２５に係合している軸穴３３５ａが形成されている。
【０００７】
第１の軸部３２５は、カード３４１がインシュレータ３２１の一面３２１ａに搭載された状態で、カード３４１の一端部から他端部への方向で他端部の端面よりも外側に位置するように一側部分とは反対側の他側部分に設けられている。即ち、第１の軸部３２５は、図１０に示すように、カード３４１の他端側の端面よりも図示の寸法Ｌ３だけ離れている。
【０００８】
さらに、板部３３３には、インシュレータ３２１の一端側で接近するカバー３３１の一端側の近傍に一対の係合部３３４を有している。一対の係合部３３４には、インシュレータ３２１の側面３２１ｃ上に形成されている突部３２８に入り込んで係合する係合穴３３４ａが形成されている。
【０００９】
図１０に示すようなコンタクト３１１の接触部３１３を配置したカード３４１を装着するコネクタの場合で概算した場合には、カード３４１における接触部３１３の接触力をｐとし、カード３４１の長さをＬとすると、カード３４１の長さＬに対して接触部３１３の位置の長さが１／３Ｌ、２／３Ｌとなる。このとき、カバー３３１の回動端を押圧してカバー３３１を閉じようとする押付け力Ｐは、Ｐ＝３ｐとなる。
【００１０】
なお、参照公報としては、特開平１１−１７６５１６号公報や、特開平１０−１４４３９１号公報などがある。
【００１１】
【発明が解決しようとする課題】
しかしながら、先行技術におけるカード接続用コネクタでは、カード３４１を板厚方向に押付けるように、接触部３１３における接触力の反力に抗してカバー３３１を閉じながらカード３４１を押付けているので、押付け力Ｐは多少のテコ的効果を得るが、接触力の半分以下にすることは困難であった。
【００１２】
また、カバー３３１を係止することにより、押付け状態を維持している場合、係合部３３４と突部３２８との係合状態が外れれば、押付け力Ｐが損なわれる危険がある。
【００１３】
それ故に本発明の課題は、操作力を低減でき、カードを押圧する押付け力を従来の数分の一に低減することができるカード接続用コネクタを提供することにある。
【００１４】
【課題を解決するための手段】
本発明によれば、カードと接続する導電性のコンタクトと、該コンタクトを保持したインシュレータと、前記インシュレータの一面へ搭載する前記カードを該一面上に保持するよう前記インシュレータに回動可能に軸結合されているカバーとを含み、前記コンタクトは、前記一面に前記カードが搭載されたときに前記カードに接触するよう前記一面上に突出している接触部を有し、前記カバーは、前記一面上へ閉じる閉止方向及び前記一面から離れる開放方向へ回動可能であって、前記カードを前記一面に搭載した後に、前記カード上へ前記カバーを回動して前記カードを保持しかつ前記カードを押圧して前記コンタクトに接続するカード接続用コネクタにおいて、前記インシュレータは、前記カードの一端部を前記一面に保持するよう前記一面上の一側部分に設けた保持部と、前記カードを前記一面へ搭載した状態で前記カードの前記一端部とは反対側の他端部が位置する部分の近傍に設けた第１の軸部とを有し、前記インシュレータには、前記保持部が一体成形されており、前記カバーは、前記第１の軸部に回動可能に係合する第２の軸部と、前記カードを前記一面へ搭載した状態において前記閉止方向の途中で前記カードの前記他端部を前記保持部側へ押圧しかつ前記閉止方向の途中及び前記カバーを閉じたときに前記カードを前記一面へ押圧して保持する押圧手段と、前記カバーを閉じた状態に維持するための係合部とを有していることを特徴とするカード接続用コネクタが得られる。
【００１５】
【作用】
本発明のカード接続用コネクタでは、インシュレータに保持部を設け、第１及び第２の軸部を支点として、テコの原理を利用し、カバーを回動可能としているため、カバーを閉じるときの操作力を低減でき、カードを押圧する押付け力を従来の数分の一に低減することが可能となる。
【００１６】
【発明の実施の形態】
以下、図面を参照して、本発明に係るカード接続用コネクタの第１実施の形態例を説明する。図１は、第１実施の形態例におけるカード接続用コネクタを示している。
【００１７】
図１を参照して、カード接続用コネクタは、導電性のコンタクト１１と、コンタクト１１の複数を保持している樹脂製のインシュレータ２１と、インシュレータ２１の一面２１ａへ閉じる閉止方向Ｉ及び一面から離れる開放方向ＩＩへ回動可能にインシュレータ２１に軸支されている樹脂製もしくは金属製のカバー３１とを有している。
【００１８】
コンタクト１１は、インシュレータ２１の一面２１ａ上に突出している接触部１３と接触部１３に接続されてインシュレータ２１の外へ延びている端子部１５とを有している。接触部１３は、板バネ形状に形成されており、弾性を有するものであって、インシュレータ２１の一面２１ａに形成されている穴２１ｅに位置しており、インシュレータ２１の一面２１ａの上下に出没自在に設けられている。
【００１９】
インシュレータ２１は、図２に示すカード４１の一端部を挿抜可能に支持するようにインシュレータ２１の一方側部分（図２におけるＡ部分）の一面２１ａに形成されている保持部２３と、インシュレータ２１の一面２１ａの一方側部分とは反対側の他方側部分（図２におけるＢ部分）に設けられている第１の軸部２５とを有している。第１の軸部２５は、インシュレータ２１の一面２１ａを直交する一対の側面２１ｃから側面２１ｃ上へ延びている。カード４１は、略長立方形状のインシュレータ２１の一面２１ａ上に搭載される形状であって所定の厚み寸法をもつ。
【００２０】
保持部２３は、インシュレータ２１の一方側部分の一面２１ａ上に形成されている縦枠部２３ａと、この縦枠部２３ａの上部からインシュレータ２１の一面２１ａに対向するように延びている横枠部２３ｂと、インシュレータ２１の一面２１ａとによって構成されている横向きの凹部２４を有している。凹部２４には、カード４１の一端部が挿抜可能に保持される。
【００２１】
インシュレータ２１の一面２１ａにカード４１が搭載されたときには、インシュレータ２１の一面２１ａに対向するカード４１の面に設けられているカード接触部（図示せず）に接触する。
【００２２】
カバー３１は、カバー３１をインシュレータ２１の一面２１ａ上へ押圧して保持する押圧手段としての平板状のカバー主板部３３と、カバー主板部３３の長手方向を直交する幅方向の一対の辺からカバー主板部３３に対して略直角に曲げられてインシュレータ２１の第１の軸部２５に係合するように一対の側面２１ｃにそれぞれ対向している一対のカバー側板部３５とを有している。一対のカバー側板部３５には、第１の軸部２５に係合する一対の第２の軸部３５ａが形成されている。
【００２３】
この実施の形態例における第１の軸部３５ａは、カード４１の一端部を保持部２３へ挿入した後にカード４１上へカバー３３を回動してカード４１を押圧し、カード４１とコンタクト１１とを接続するように、突起形状もしくは丸棒形状の第１の軸部２５に係合する軸穴である。
【００２４】
なお、第１の軸部２５と第２の軸部３５ａとは、この実施の形態例に限らず、ようするに、インシュレータ２１に対して、テコの原理によって第１の軸部２５を支点としてカバー３１が回動可能になすような構成であればよい。
【００２５】
第１の軸部２５は、カード４１がインシュレータ２１の一面に搭載された状態で、カード４１の一端部から他端部への方向で他端部の端面よりも外側に位置している。即ち、第１の軸部２５は、図２に示すように、カード４１の他端側の端面よりも図示の寸法Ｌ１だけ離れている。
【００２６】
さらに、カバー主板部３３には、保持部２３に接近するカバー３１の一端側に接続されてカバー主板部３３の面上へ突出しかつ一端側から一対の第１の軸部３５ａ間側へ延びカバー３１を一面２１ａへ向けて閉じたときにカード４１の上面を一面２１ａへ押圧して付勢する押圧手段としてのバネ部３３ａが形成されている。
【００２７】
さらにまた、カバー主板部３３は、保持部２３に接近するカバー３１の一端側の近傍に一対の係合部３４を有している。一対の係合部３４には、インシュレータ２１の側面２１ｃ上に形成されている突部２８に入り込んで係合する係合穴３４ａが形成されている。
【００２８】
以下、カード４１をコンタクト１１に接続するための操作を、図２乃至図４をも参照して説明する。カード４１は、インシュレータ２１の一面２１ａに対して斜めにして図２に示すように、カバー３１を開いた状態でカード４１の一端部をインシュレータ２１の保持部２３に差し込む。この際、カード４１は、インシュレータ２１の一面２１ａ上へ突き出している接触部１３上にカード４１のカード接触部が載せられている状態にある。その後、図３及び図４に示すように、カバー３１を閉止方向Ｉへ倒し、カード４１の他端部の辺４１ｃをカバー主板部３３によって押圧して保持部２３側へカード４１を押付け、カバー３１から一体に伸展させたバネ部３３ａの自由端部によってカード４１を第１の軸部２５を支点としてテコの原理によりインシュレータ２１の一面２１ａに押付ける。この際、カード４１の一端部は、保持部２３の横壁部２３ｂに保持されているので、この部分で浮き上がることはない。
【００２９】
さらに、図３及び図４に示すように、バネ部３３ａによってカード４１を下方に押圧しながら、嵌合過程が完了する。このとき、カバー３１はインシュレータ２１の一面２１ａと略平行になるまで閉止方向Ｉへ完全に倒される。このとき、接触部１３はカード４１のカード接触部に反力をもって接触する。そして、カバー主板部３３の係合部３４をインシュレータ２１の側面２１ｃ上に形成されている突部２８に入り込ませて係合穴３４ａに係合させる。
【００３０】
ここで、図１に示すような６本のコンタクト１１の接触部１３に一対一に対応して接触するように配置したカード４１を装着するコネクタの押付け力を概算した。図５に示した接触部１３の接点の接触力をｐとし、カード４１の支点からカバー３１の回動端までの長さを図２のＬ１と同じであると仮定すると、カバー３１の回動中心から回動端までは、ほぼカード４１の長さＬとなり、接触部１３の接点位置をそれぞれ１／３Ｌ、２／３Ｌとする。カバー３１が図５におけるＣ点（カード４１の他端部の辺）においてカバー３１から受ける力Ｆは、Ｆ＝３ｐとなる。
【００３１】
第１の軸部２５の位置をカード４１の他方側端の辺４１ｃから１／９Ｌ程度離れた位置とすると、カバー３１が第１の軸部２５を押圧して、カバー３１を閉じるときの押付け力Ｐは、１／９Ｌ・Ｆ＝（１／９Ｌ＋Ｌ）・Ｐとなり、Ｐ＝１／１０Ｆ＝３／１０ｐとなる。カード４１を閉じておくための力が試みの計算では、従来例における押付け力Ｐの１／１０程度になるため、設計が容易となる。したがって、カバー３１を閉止する操作時における押付け力は、図１０に示した従来例の押付け力Ｐ＝３ｐと比較して、閉止する操作時における押付け力Ｐ＝３／１０ｐ程度で済む。
【００３２】
図６乃至図８は、カード接続用コネクタの第２実施の形態例を示している。図６を参照して、カード接続用コネクタは、コンタクト１１１と、コンタクト１１１の複数を保持しているインシュレータ１２１と、インシュレータ１２１の一面１２１ａへ閉じる閉止方向Ｉ及び一面から離れる開放方向ＩＩへ回動可能にインシュレータ１２１に軸支されているカバー１３１とを有している。
【００３３】
コンタクト１１１は、インシュレータ１２１の一面１２１ａ上に突出している接触部１１３と、接触部１１３に接続されてインシュレータ１２１の外へ延びている端子部（図示せず）とを有している。接触部１１３は、板バネ形状に形成されており、弾性を有するものである。
【００３４】
インシュレータ１２１は、図６に示すカード１４１の一端部を挿抜可能に支持するようにインシュレータ１２１の一方側部分（図６におけるＡ部分）の一面１２１ａに形成されている保持部１２３と、インシュレータ１２１の一面１２１ａの一方側部分とは反対側の他方側部分（図６におけるＢ部分）に設けられている第１の軸部１２５とを有している。第１の軸部１２５は、インシュレータ１２１の一面１２１ａを直交する一対の側面１２１ｃから側面１２１ｃ上へ延びている。
【００３５】
保持部１２３は、インシュレータ１２１の一方側部分の一面１２１ａ上に形成されている縦枠部１２３ａと、この縦枠部１２３ａの上部からインシュレータ１２１の一面１２１ａに対向するように延びている横枠部１２３ｂと、インシュレータ１２１の一面１２１ａとによって構成されている横向きの凹部１２４とを有している。凹部１２４には、カード１４１の一端部が挿抜可能に保持される。
【００３６】
インシュレータ１２１の一面１２１ａにカード１４１が搭載されたときには、インシュレータ１２３の一面１２１ａに対向するカード１４１の面に設けられているカード接触部（図示せず）に接触する。
【００３７】
カバー１３１は、カバー１３１をインシュレータ１２１の一面１２１ａ上に保持する平板状のカバー主板部１３３と、カバー主板部１３３の長手方向を直交する幅方向の一対の辺からカバー主板部１３３に対して略直角に曲げられてインシュレータ１２１の第１の軸部１２５に係合するように一対の側面１２１ｃにそれぞれ対向している一対のカバー側板部１３５とを有している。一対のカバー側板部１３５には、第１の軸部１２５に係合する一対の第２の軸部１３５ａが形成されている。
【００３８】
カバー側板部１３５には、カード１４１の一端部を保持部１２３へ挿入した後にカード１４１上へカバー１３１を回動してカード１４１を押圧し、カード１４１とコンタクト１１１とを接続するように、第２の軸部１３５ａに係合している。
【００３９】
カバー主板部１３５は、保持部１２３に接近するカバー１３１の一端側に接続されてカバー主板部１３５の面上へ突出しかつ一端側から第２の軸部１３５ａ側へ延びカバー１３１を一面１２１ａへ向けて閉じたときに、カード１４１の他端部を保持部１２３側へ向けて付勢するバネ部１３３ａを有している。バネ部１３３ａの自由端部は、カード１４１を一面１２１ａへ押圧するように、インシュレータ１２１の一面１２１ａの方向へ曲げられている。
【００４０】
第１の軸部１２５は、カード１４１が一面１２１ａに搭載された状態でカード１４１の一端部から他端部への方向でカード１４１の他端部の端面よりも内側に位置している。即ち、第１の軸部１２５は、図８に示すように、カード１４１の他端側の端面よりも図示の寸法Ｌ２だけ離れている。
【００４１】
以下、カード１４１をコンタクト１１１に接続するための操作を、図６、図７及び図８をも参照して説明する。図６に示すように、カバー１３１を開いてカード１４１の一端部をインシュレータ１２１の保持部１２３に差し込む。その後、図７及び図８に示すように、カバー１３１を閉止方向Ｉへ倒しながらカバー１３１から一体に伸展させたバネ部１３３ａの自由端部によってカード１４１の他端部を下方に押圧した状態で嵌合過程が完了する。そして、図８に示すように、カバー１３１を完全に倒し込む。なお、図８に示した矢印Ｆ２は、カード１４１の他端部の位置でコンタクト１１１によってカバー１３１が押し上げられる方向へ働く力を示している。
【００４２】
なお、図６に示すように、Ａ端側のカード１４１の一端部からカバー１３１が受ける力の方向は、カード１４１の他端部側であるＢ端側の第１の軸部１２５を通るため、カバー１３１を回転して開けようとするモーメント力は発生しないので、カバー１３１を閉止するための力は必要ない。
【００４３】
また、第１の軸部１２５をカード１４１の他端部の端面と同じ配置した場合は、カバー１３１を開こうとするモーメントが発生しないため、カバー１３１に係合部を設けなくても、カバー１４１が開くことがないコネクタの構成が可能となる。
【００４４】
【発明の効果】
以上説明したように、本発明に係るカード接続用コネクタによれば、インシュレータに保持部を設け、第１及び第２の軸部を支点とし、テコの原理を利用してカードをカバーによって保持するようにしたため、カバーを閉止してカードを押圧する操作時における押付け力を低減できる。即ち、本発明に係るカード接続用コネクタでは、カバーを閉止してカードを押圧する操作時における押付け力は、従来のカバーを閉止してカードを押圧する操作時における押付け力と比較して数分の一に低減することが可能となる。
【図面の簡単な説明】
【図１】本発明に係るカード接続用コネクタの第１実施の形態例を示す斜視図である。
【図２】図１に示したカード接続用コネクタにおいてカバーを開いた状態を示す側面図である。
【図３】図２に示したカード接続用コネクタにおいてカバーを閉じる途中の状態を示した側面図である。
【図４】図３に示したカード接続用コネクタにおいてカバーを閉じた状態を示した側面図である。
【図５】第１実施の形態例におけるカード接続用コネクタの保持力を説明するための側面図である。
【図６】本発明に係るカード接続用コネクタの第２実施の形態例を示し、カバーを開いた状態を示す側面図である。
【図７】図６に示したカード接続用コネクタにおいてカバーを閉じる途中の状態を示した側面図である。
【図８】図７に示したカード接続用コネクタにおいてカバーを閉じた状態を示した側面図である。
【図９】先行技術におけるカード接続用コネクタにおいてカバーを開いた状態を示す側面図である。
【図１０】図９に示したカード接続用コネクタにおいてカバーを閉じた状態を示した側面図である。
【符号の説明】
１１，１１１，３１１    コンタクト
１３，１１３，３１３    接触部
２１，１２１，３２１    インシュレータ
２１ａ，１２１ａ，３２１ａ    一面
２１ｃ，１２１ｃ，３２１ｃ    側面
２３，１２３    保持部
２４，１２４    凹部
２５，１２５    第１の軸部
２８，３２８    突部
３１，１３１，３３１    カバー
３３    カバー主板部
３３ａ，１３３ａ    バネ部
３４，３３４    係合部
３４ａ，３３４ａ    係合穴
３５，１３５    カバー側板部
３５ａ，１３５ａ    第２の軸部
４１，１４１，３４１    カード
３２５    軸部
３３３    板部
３３５    軸受部
【図１】
0003812939.tif 000002
【図２】
0003812939.tif 000003
【図３】
0003812939.tif 000004
【図４】
0003812939.tif 000005
【図５】
0003812939.tif 000006
【図６】
0003812939.tif 000007
【図７】
0003812939.tif 000008
【図８】
0003812939.tif 000009
【図９】
0003812939.tif 000010
【図１０】
0003812939.tif 000011